【手続補正書】
【提出日】令和2年7月27日(2020.7.27)
【手続補正１】
【補正対象書類名】明細書
【補正対象項目名】０００７
【補正方法】変更
【補正の内容】
【０００７】
本開示の第１態様に係るレンズ加熱装置は、収容室の内側に設けられ、レンズが光軸方向を載置方向として載せられる台座部と、収容室の内側に設けられた加熱部と、収容室の内側の空間部を、台座部が設けられた内側空間部と加熱部が設けられた外側空間部とに仕切る金属製の仕切部材と、を有し、仕切部材は、中空且つ光軸方向から見た場合に光軸対称に形成され、台座部に載せられたレンズの光軸を中心軸として収容室の内側に配置されたときに、光軸方向と直交する直交方向におけるレンズから仕切部材までの長さが、光軸方向におけるレンズから仕切部材までの長さよりも短くなっており、加熱部は、直交方向から仕切部材を加熱する。
【手続補正２】
【補正対象書類名】明細書
【補正対象項目名】０００８
【補正方法】変更
【補正の内容】
【０００８】
本開示の第２態様に係るレンズ加熱装置の台座部には、レンズと接触することで、光軸と中心軸とが一致する位置にレンズを位置決めする位置決め部が設けられていてもよい。
【手続補正３】
【補正対象書類名】明細書
【補正対象項目名】０００９
【補正方法】変更
【補正の内容】
【０００９】
本開示の第３態様に係るレンズ加熱装置の台座部に設けられた位置決め部は、レンズの有効径範囲の外側で且つ有効径範囲の内側の曲面と連続する被位置決め部に接触するようにしてもよい。
【手続補正４】
【補正対象書類名】明細書
【補正対象項目名】００１０
【補正方法】変更
【補正の内容】
【００１０】
本開示の第４態様に係るレンズ加熱装置の台座部に載せられるレンズは、光軸方向に突出された光学面を有し、レンズの径方向において、光軸から台座部の外周までの長さが、光軸から光学面の外周までの長さよりも長くされていてもよい。
【手続補正５】
【補正対象書類名】明細書
【補正対象項目名】００１１
【補正方法】変更
【補正の内容】
【００１１】
本開示の第５態様に係るレンズ加熱装置の台座部は、直交方向から見た場合に光軸対称に形成され、常温において仕切部材と直交方向に接触する接触部と、接触部から光軸方向に直立され、レンズを支持する支持部と、を有していてもよい。
【手続補正６】
【補正対象書類名】明細書
【補正対象項目名】００１４
【補正方法】変更
【補正の内容】
【００１４】
本開示の第８態様に係るレンズ加熱装置の台座部に載せられるレンズの熱伝導率は、台座部の熱伝導率よりも大きくてもよく、仕切部材の熱伝導率は、台座部の熱伝導率よりも大きくてもよい。
【手続補正７】
【補正対象書類名】明細書
【補正対象項目名】００１５
【補正方法】変更
【補正の内容】
【００１５】
本開示の第９態様に係るレンズ加熱装置の収容室は、中心軸の軸方向から見た場合に四角形状に配置された４つの側壁に囲まれ、中心軸の位置は、直交方向のうち一方向に対向する２つの側壁からの距離が等しくなる位置で、且つ一方向と直交する他の方向に対向する２つの側壁からの距離が等しくなる位置とされていてもよい。
【手続補正８】
【補正対象書類名】明細書
【補正対象項目名】００１６
【補正方法】変更
【補正の内容】
【００１６】
本開示の第１０態様に係るレンズ加熱装置の加熱部は、光軸に対して対称に一方向の一方側と他方側とに配置された複数のヒータを有していてもよい。
【手続補正９】
【補正対象書類名】明細書
【補正対象項目名】００１７
【補正方法】変更
【補正の内容】
【００１７】
本開示の第１１態様に係るレンズ加熱処理方法は、光軸を囲む側面を有するレンズを収容室の内側に設けられた台座部に光軸方向に沿って載せる工程と、光軸に対して対称に形成された仕切部材を用いて、収容室の内側の空間部を、台座部が設けられた内側空間部と加熱部が設けられた外側空間部とに仕切る工程と、台座部に載せられたレンズを覆った仕切部材を、加熱部が光軸方向と直交する直交方向から加熱することで、側面を加熱する工程と、を有する。
【手続補正１０】
【補正対象書類名】特許請求の範囲
【補正対象項目名】全文
【補正方法】変更
【補正の内容】
【特許請求の範囲】
【請求項１】
収容室の内側に設けられ、レンズが光軸方向を載置方向として載せられる台座部と、
前記収容室の内側に設けられた加熱部と、
前記収容室の内側の空間部を、前記台座部が設けられた内側空間部と前記加熱部が設けられた外側空間部とに仕切る金属製の仕切部材と、
を有し、
前記仕切部材は、
中空且つ前記光軸方向から見た場合に光軸対称に形成され、
前記台座部に載せられたレンズの光軸を中心軸として前記収容室の内側に配置されたときに、前記光軸方向と直交する直交方向における前記レンズから前記仕切部材までの長さが、前記光軸方向における前記レンズから前記仕切部材までの長さよりも短くなっており、
前記加熱部は、前記直交方向から前記仕切部材を加熱するレンズ加熱装置。
【請求項２】
前記台座部には、前記レンズと接触することで、前記光軸と前記中心軸とが一致する位置に前記レンズを位置決めする位置決め部が設けられている請求項１に記載のレンズ加熱装置。
【請求項３】
前記位置決め部は、前記レンズの有効径範囲の外側で且つ該有効径範囲の内側の曲面と連続する被位置決め部に接触する請求項２に記載のレンズ加熱装置。
【請求項４】
前記レンズは、前記光軸方向に突出された光学面を有し、
前記レンズの径方向において、前記光軸から前記台座部の外周までの長さは、前記光軸から前記光学面の外周までの長さよりも長い請求項１から請求項３のいずれか１項に記載のレンズ加熱装置。
【請求項５】
前記台座部は、
前記直交方向から見た場合に光軸対称に形成され、常温において前記仕切部材と前記直交方向に接触する接触部と、
前記接触部から前記光軸方向に直立され、前記レンズを支持する支持部と、
を有する請求項１から請求項４のいずれか１項に記載のレンズ加熱装置。
【請求項６】
前記光軸方向における前記接触部の厚さに相当する第１長さは、前記直交方向における前記仕切部材の厚さに相当する第２長さよりも長く、且つ前記光軸方向における前記支持部の高さに相当する第３長さよりも短い請求項５に記載のレンズ加熱装置。
【請求項７】
前記仕切部材の熱膨張率は、前記接触部の熱膨張率よりも大きい請求項５又は請求項６に記載のレンズ加熱装置。
【請求項８】
前記レンズの熱伝導率は、前記台座部の熱伝導率よりも大きく、
前記仕切部材の熱伝導率は、前記台座部の熱伝導率よりも大きい請求項１から請求項７のいずれか１項に記載のレンズ加熱装置。
【請求項９】
前記収容室は、前記中心軸の軸方向から見た場合に四角形状に配置された４つの側壁に囲まれ、
前記中心軸の位置は、前記直交方向のうち一方向に対向する２つの前記側壁からの距離が等しくなる位置で、且つ該一方向と直交する他の方向に対向する２つの前記側壁からの距離が等しくなる位置とされている請求項１から請求項８のいずれか１項に記載のレンズ加熱装置。
【請求項１０】
前記加熱部は、前記光軸に対して対称に前記一方向の一方側と他方側とに配置された複数のヒータを有する請求項９に記載のレンズ加熱装置。
【請求項１１】
光軸を囲む側面を有するレンズを収容室の内側に設けられた台座部に光軸方向に沿って載せる工程と、
前記光軸に対して対称に形成された仕切部材を用いて、前記収容室の内側の空間部を、前記台座部が設けられた内側空間部と加熱部が設けられた外側空間部とに仕切る工程と、
前記台座部に載せられたレンズを覆った前記仕切部材を、前記加熱部が前記光軸方向と直交する直交方向から加熱することで、前記側面を加熱する工程と、
を有するレンズ加熱処理方法。